(57)【要約】【課題】関連情報を記憶するストレージの記憶容量を小さくしても関連情報を高速に印刷できるスキャナ付プリンタ、印刷システム、および印刷方法を提供する。【解決手段】商品に関する関連情報を商品毎に記憶するホストコンピュータ２と、周囲に存在する不特定のＲＦＩＤタグ５から商品コードを読み取るリーダライタ２１２と、ホストコンピュータ２から、リーダライタ２１２により読み取った商品コードが示す商品の関連情報を取り込む取込部８０１と、取り込んだ関連情報を記憶するＲＡＭ２０３と、周囲に存在する特定のＲＦＩＤタグ５に印刷されたバーコード５ａから商品コードを読み取るスキャナ１０１と、ＲＡＭ２０３に記憶された関連情報の中から、スキャナ１０１により読み取った商品コードが示す商品の関連情報を読み出す読出部８０２と、読出部８０２により読み出された関連情報を印刷する印刷部８０３と、を備えたハンディースキャナ１と、を備える。【選択図】図１
2011173291.tif 000002
【特許請求の範囲】
【請求項１】
周囲に存在する不特定の商品タグから商品を示す商品情報を読み取る第１読取手段と、
商品に関する関連情報を商品毎に記憶するサーバから、前記第１読取手段により読み取った前記商品情報が示す商品の前記関連情報を取り込む取込手段と、
前記取込手段により取り込んだ前記関連情報を記憶する記憶手段と、
周囲に存在する特定の商品タグから前記商品情報を読み取る第２読取手段と、
前記記憶手段に記憶された前記関連情報の中から、前記第２読取手段により読み取った前記商品情報が示す商品の前記関連情報を読み出す読出手段と、
前記読出手段により読み出された前記関連情報を印刷する印刷手段と、
を備えたことを特徴とするスキャナ付プリンタ。
【請求項２】
前記商品タグは、前記商品情報を記憶した無線タグであり、
前記第１読取手段は、周囲に存在する不特定の前記無線タグから前記商品情報を読み取ることを特徴とする請求項１に記載のスキャナ付プリンタ。
【請求項３】
前記第２読取手段は、周囲に存在する特定の前記無線タグから前記商品情報を読み取ることを特徴とする請求項２に記載のスキャナ付プリンタ。
【請求項４】
前記第２読取手段は、前記商品タグに印刷された印刷情報から前記商品情報を読み取ることを特徴とする請求項１に記載のスキャナ付プリンタ。
【請求項５】
商品に関する関連情報を商品毎に記憶するサーバと、
周囲に存在する不特定の商品タグから商品を示す商品情報を読み取る第１読取手段と、前記サーバから、前記第１読取手段により読み取った前記商品情報が示す商品の前記関連情報を取り込む取込手段と、前記取込手段により取り込んだ前記関連情報を記憶する記憶手段と、周囲に存在する特定の商品タグから前記商品情報を読み取る第２読取手段と、前記記憶手段に記憶された前記関連情報の中から、前記第２読取手段により読み取った前記商品情報が示す商品の前記関連情報を読み出す読出手段と、前記読出手段により読み出された前記関連情報を印刷する印刷手段と、を有するスキャナ付プリンタと、
を備えたことを特徴とする印刷システム。
【請求項６】
スキャナ付プリンタの印刷方法であって、
前記スキャナ付プリンタは、商品に関する関連情報を記憶する記憶手段を備え、
第１読取手段が、周囲に存在する不特定の商品タグから商品を示す商品情報を読み取る第１読取工程と、
取込手段が、前記関連情報を商品毎に記憶するサーバから、前記第１読取工程で読み取った前記商品情報が示す商品の前記関連情報を取り込む取込工程と、
第２読取手段が、周囲に存在する特定の商品タグから前記商品情報を読み取る第２読取工程と、
読出手段が、前記記憶手段に記憶された前記関連情報の中から、前記第２読取工程で読み取った前記商品情報が示す商品の前記関連情報を読み出す読出工程と、
印刷手段が、前記読出工程で読み出された前記関連情報を印刷する印刷工程と、
を含むことを特徴とする印刷方法。
【発明の詳細な説明】
【技術分野】
【０００１】
本発明は、スキャナ付プリンタ、印刷システム、および印刷方法に関する。
【背景技術】
【０００２】
アパレルなどの値引きラベルを印刷する印刷システムにおいては、アパレルなどの商品毎に取り付けられている商品タグに印刷されたバーコード等から商品を示す商品コードをスキャナ付プリンタで読み取り、読み取った商品コードを利用してスキャナ付プリンタ内の記憶部またはホスト機器に対して商品に関する関連情報（例えば、値引き情報など）の問い合わせを行い、スキャナ付プリンタ内のストレージまたはホスト機器から関連情報を取り込み、取り込んだ関連情報を印刷することが一般的である（特許文献１参照）。
【発明の概要】
【発明が解決しようとする課題】
【０００３】
ところで、上述した印刷システムによれば、全ての商品の関連情報をスキャナ付プリンタ内のストレージに記憶させることができれば、ホスト機器に対して関連情報の問い合わせを行わなくて良いため、高速に関連情報を印刷することができる。
【０００４】
しかしながら、全ての商品の関連情報を記憶することができる記憶容量の大きいストレージ（例えば、ＨＤＤ（Hard  Disk  Drive）など）をスキャナ付プリンタに搭載した場合、スキャナ付プリンタは、サイズが大きくなりかつ重量も重くなるため、スキャナ付プリンタを操作して関連情報を印刷する作業者の負担が増大する。
【０００５】
また、スキャナ付プリンタが搭載するストレージがＨＤＤである場合、ユーザは、スキャナ付プリンタに搭載されたストレージがフラッシュメモリ等である場合と比較して、スキャナ付プリンタの取り扱いに細心の注意が必要となり、手軽に作業を行うことが困難になる。
【０００６】
また、全ての商品の関連情報をスキャナ付プリンタのストレージに記憶させる場合、ユーザは、日々入れ替わりの激しい関連情報の更新を定期的に行う必要があり、負担が増大する。
【０００７】
本発明は、上記に鑑みてなされたものであって、関連情報を記憶するストレージの記憶容量を小さくしても関連情報を高速に印刷できるスキャナ付プリンタ、印刷システム、および印刷方法を提供することを目的とする。
【課題を解決するための手段】
【０００８】
上述した課題を解決し、目的を達成するために、本発明は、周囲に存在する不特定の商品タグから商品を示す商品情報を読み取る第１読取手段と、商品に関する関連情報を商品毎に記憶するサーバから、前記第１読取手段により読み取った前記商品情報が示す商品の前記関連情報を取り込む取込手段と、前記取込手段により取り込んだ前記関連情報を記憶する記憶手段と、周囲に存在する特定の商品タグから前記商品情報を読み取る第２読取手段と、前記記憶手段に記憶された前記関連情報の中から、前記第２読取手段により読み取った前記商品情報が示す商品の前記関連情報を読み出す読出手段と、前記読出手段により読み出された前記関連情報を印刷する印刷手段と、を備えたことを特徴とする。
【０００９】
また、本発明は、商品に関する関連情報を商品毎に記憶するサーバと、周囲に存在する不特定の商品タグから商品を示す商品情報を読み取る第１読取手段と、前記サーバから、前記第１読取手段により読み取った前記商品情報が示す商品の前記関連情報を取り込む取込手段と、前記取込手段により取り込んだ前記関連情報を記憶する記憶手段と、周囲に存在する特定の商品タグから前記商品情報を読み取る第２読取手段と、前記記憶手段に記憶された前記関連情報の中から、前記第２読取手段により読み取った前記商品情報が示す商品の前記関連情報を読み出す読出手段と、前記読出手段により読み出された前記関連情報を印刷する印刷手段と、を有するスキャナ付プリンタと、を備えたことを特徴とする。
【００１０】
また、本発明は、スキャナ付プリンタの印刷方法であって、前記スキャナ付プリンタは、商品に関する関連情報を記憶する記憶手段を備え、第１読取手段が、周囲に存在する不特定の商品タグから商品を示す商品情報を読み取る第１読取工程と、取込手段が、前記関連情報を商品毎に記憶するサーバから、前記第１読取工程で読み取った前記商品情報が示す商品の前記関連情報を取り込む取込工程と、第２読取手段が、周囲に存在する特定の商品タグから前記商品情報を読み取る第２読取工程と、読出手段が、前記記憶手段に記憶された前記関連情報の中から、前記第２読取工程で読み取った前記商品情報が示す商品の前記関連情報を読み出す読出工程と、印刷手段が、前記読出工程で読み出された前記関連情報を印刷する印刷工程と、を含むことを特徴とする。
【発明の効果】
【００１１】
本発明にかかるスキャナ付プリンタ、印刷システム、および印刷方法は、関連情報を記憶するストレージの記憶容量を小さくしても関連情報を高速に印刷できる、という効果を奏する。
【図面の簡単な説明】
【００１２】
【図１】図１は、本実施の形態にかかる印刷システムの構成を示すブロック図である。
【図２】図２は、マスタファイルの一例を示す図である。
【図３】図３は、本実施の形態にかかるハンディースキャナの外観図である。
【図４】図４は、本実施の形態にかかるハンディースキャナの内部構造図である。
【図５】図５は、バーコードが印刷されたＲＦＩＤタグの一例を示す図である。
【図６】図６は、関連情報が印刷された台紙付きラベルの一例を示す図である。
【図７】図７は、本実施の形態にかかるハンディースキャナの構成を示すブロック図である。
【図８】図８は、本実施の形態にかかるハンディースキャナの機能ブロック図である。
【図９】図９は、マスタファイルの取込処理の流れを示すフローチャートである。
【図１０】図１０は、関連情報の読出処理の流れを示すフローチャートである。
【発明を実施するための形態】
【００１３】
以下に添付図面を参照して、この発明にかかるスキャナ付プリンタ、印刷システム、および印刷方法の最良な実施の形態を詳細に説明する。なお、本実施の形態では、この発明にかかるスキャナ付プリンタを、商品のタグ等に印刷されたバーコード等に対して光を当てて、その反射光から画像を読み取るハンディースキャナに適用した例について説明する。
【００１４】
図１は、本実施の形態にかかる印刷システムの構成を示すブロック図である。本実施の形態にかかる印刷システム４は、ハンディースキャナ１およびホストコンピュータ２（サーバ）などを備えている。なお、ハンディースキャナ１とホストコンピュータ２とは、例えば、無線ＬＡＮ（Local  Area  Network）３を介して通信可能である。
【００１５】
ホストコンピュータ２は、アパレル等の商品に関する関連情報のマスタファイル２ａを記憶する記憶手段（例えば、ＨＤＤ：Hard  Disk  Driveなど）を備えている。図２は、マスタファイルの一例を示す図である。マスタファイル２ａは、例えば、図２に示すように、各種商品に関する関連情報が商品を示す商品コード（商品情報）と対応付けて記録されている。関連情報は、例えば、カラー、サイズ、商品名、納入日、仕入金額、販売金額、値引き額などの情報がある。
【００１６】
ハンディースキャナ１は、ＲＦＩＤ（Radio  Frequency  Identification）タグ（商品タグ）５に記憶された商品コードを読み取るものである。また、ハンディースキャナ１は、ＲＦＩＤタグ５に印刷されたバーコードや二次元コード等の印刷情報から商品コードを読み取るものである。
【００１７】
図３は、本実施の形態にかかるハンディースキャナの外観図である。図４は、本実施の形態にかかるハンディースキャナの内部構造図である。本実施の形態にかかるハンディースキャナ１は、スキャナ１０１、表示器１０２、キー入力部１０３、トリガスイッチ１０４、握り部１０５、サーマルヘッド１０６、プラテンローラ１０７、ロール紙１０８、リーダライタ２１２などを備えている。
【００１８】
リーダライタ２１２（第１読取手段）は、アンテナ部１０９（図７参照）を介して、ハンディースキャナ１によりＲＦＩＤタグ５に記憶された商品コードを読み取り可能な範囲内（ハンディースキャナ１の周囲）に存在する不特定のＲＦＩＤタグ５との間で無線通信を行うものであり、ＲＦＩＤタグ５に記憶された商品コードを読み取る。図５は、バーコードが印刷されたＲＦＩＤタグの一例を示す図である。本実施の形態では、リーダライタ２１２は、２．４５ＧＨｚの周波数帯（ＵＨＦに属する周波数帯）を用いて、３０ｃｍ〜１ｍ内に存在する商品に付された不特定のＲＦＩＤタグから商品コードを読み取る。
【００１９】
スキャナ１０１（第２読取手段）は、リーダライタ２１２により商品コードを読取可能な範囲内（ハンディースキャナ１の周囲）に存在する特定のＲＦＩＤタグ５に印刷されたバーコード５ａに対して光を当てて、その反射光から商品コードを読み取るものである。なお、本実施の形態では、バーコード５ａなどに対して光を当てて、その反射光から商品コードを読み取るスキャナ１０１を用いたが、特定のＲＦＩＤタグ５から商品コードを読み取るものであれば、これに限定しない。例えば、リーダライタ２１２により商品コードを読み取り可能な範囲よりも狭い範囲内にあるＲＦＩＤタグ５から商品コードを読み取るリーダライタを用いても良い。より具体的には、例えば、１３．５６ＭＨｚの周波数帯を用いて、数十ｃｍ内に存在する商品に付されたＲＦＩＤタグから商品コードを読み取るリーダライタを用いても良い。若しくは、ＲＦＩＤタグ５に印刷されたバーコード５ａに対して赤外線を当てて、その反射波から商品コードを読み取るものを用いても良いし、ＣＣＤ（Charge Coupled Device）スキャナを用いて画像データを読み取り解析して商品コードを読み取るものを用いても良い。
【００２０】
表示器１０２は、液晶ディスプレイなど、商品コードや操作情報（例えば、印刷する関連情報を選択するためのメニュー画面）などを表示するものである。キー入力部１０３は、ユーザにより操作情報等が入力されるものである。
【００２１】
握り部１０５は、ユーザがハンディースキャナ１を握る部分であり、符号１０５ａで示す部分が導電性ポリマー材料で形成されている。なお、符号１０５ａで示す部分は、導電性ポリマー材料の特性である導電性により、ハンディースキャナ１に生じた静電気を当該部分に接触した人体を介して放電させる。
【００２２】
トリガスイッチ１０４は、握り部１０５に設けられ、スキャナ１０１による商品コードの読み取りを要求するためのものである。スキャナ１０１は、トリガスイッチ１０４が押下されると、商品に付されたＲＦＩＤタグ５に印刷されたバーコード５ａから商品コードを読み取る。
【００２３】
プラテンローラ１０７は、後述するサーマルヘッド１１２に対向して配置されて台紙付きラベルが巻き回されたロール紙１０８から台紙付きラベルを引き出し、引き出した台紙付きラベルをサーマルヘッド１１２の印刷位置に搬送する搬送ローラであり、導電性ポリマー材料で構成されて導電性を確保したものである。
【００２４】
サーマルヘッド１１２は、プラテンローラ１０７により印刷位置に搬送されてきた台紙付きラベルを加熱して、関連情報を印刷するものである。図６は、関連情報が印刷された台紙付きラベルの一例を示す図である。サーマルヘッド１１２は、図６に示すように、商品コードを示すバーコード６ａおよび値引き額などの関連情報６ｂを台紙付きラベル６に印刷する。
【００２５】
図７は、本実施の形態にかかるハンディースキャナの構成を示すブロック図である。本実施の形態にかかるハンディースキャナ１は、各種の演算処理を実行して各部を集中的に制御するＣＰＵ（Central  Processing  Unit）２０１を有している。このＣＰＵ２０１には、ＲＡＭ（Random  Access  Memory）２０３、および電源を切っても記憶内容を保持することができる不揮発性記憶部であるＦＲＯＭ（Flash  Read  Only  Memory）２０２がシステムバス（図示しない）を介して接続されている。
【００２６】
ＦＲＯＭ２０２は、ハンディースキャナ１の動作プログラムや各種設定情報を記憶する。ＣＰＵ２０１は、ＦＲＯＭ２０２に記憶された動作プログラム（マスタファイル２０の取込処理および関連情報の印刷処理を実行するプログラムを含む）をＲＡＭ２０３にコピーして実行することにより各部を制御する。
【００２７】
ＲＡＭ２０３（記憶手段）は、各種の可変情報を一時的に記憶するものであり、ホストコンピュータ２から取り込んだマスタファイル２０を記憶する。
【００２８】
また、ＲＡＭ２０３は、台紙付きラベルに印刷する関連情報の印刷データ（画像データ）が展開される印刷バッファとして利用される。印刷データは、ホストコンピュータ２から受信した印刷対象となるデータであっても良いし、ＦＲＯＭ２０２に記憶されているデータであっても良いし、キー入力部２１１から入力された値引き額等であっても良い。
【００２９】
また、ＣＰＵ２０１には、表示制御回路２０４、通信Ｉ／Ｆ２０５、モータ制御回路２０６、ヘッド制御回路２０８、電源回路２０９、スキャナ制御回路２１１、リーダライタ２１２、キー入力部１０３、トリガスイッチ１０４がシステムバス（図示しない）を介して接続されている。
【００３０】
表示制御回路２０４は、ＣＰＵ２０１の制御のもとで、表示器１０２における表示（台紙付きラベルに印刷する関連情報を選択するために操作画像を含むメニュー画面など）を制御する。
【００３１】
通信Ｉ／Ｆ２０５は、ネットワーク３を介して、ホストコンピュータ２などの外部の機器と無線通信を行うためのインタフェースである。通信Ｉ／Ｆ２０５は、例えば無線ＬＡＮ等により構成され、ホストコンピュータ２に設けられた通信Ｉ／Ｆとの無線通信が可能である。
【００３２】
モータ制御回路２０６は、ＣＰＵ２０１の制御のもとで、プラテンローラ１０７の駆動源であるステッピングモータ２０７を制御する。ヘッド制御回路２０８は、ＣＰＵ２０１の制御のもとで、サーマルヘッド１０６に印刷制御信号を出力する。スキャナ制御回路２１１は、ＣＰＵ２０１の制御のもとで、スキャナ１０１による商品コードの読み取りを制御する。
【００３３】
電源回路２０９は、キー入力部１０３によるハンディースキャナ１の電源のＯＮ／ＯＦＦに従って、バッテリ２１０からハンディースキャナ１の各部への電力の供給／遮断を制御する。
【００３４】
次に、ＦＲＯＭ２０２に記憶された動作プログラムをＣＰＵ２０１が実行することにより実現する機能について、図８に示す機能ブロック図を用いて説明する。図８は、本実施の形態にかかるハンディースキャナの機能ブロック図である。
【００３５】
本実施の形態のハンディースキャナ１で実行されるプログラムは、図８に示すような各部（取込部８０１、読出部８０２、印刷部８０３など）を含むモジュール構成となっており、実際のハードウェアとしてはＣＰＵ２０１が上記ＦＲＯＭ２０２からプログラムを読み出して実行することにより上記各部がＲＡＭ２０３上にロードされ、上述した各部（取込部８０１、読出部８０２、印刷部８０３など）がＲＡＭ２０３上に生成されるようになっている。
【００３６】
取込部８０１は、ホストコンピュータ２から、リーダライタ２１２により読み取られた商品コードが示す商品のマスタファイル２ａを取り込む。そして、取込部８０１は、取り込んだマスタファイル２ａと同一のマスタファイルがＲＡＭ２０３に記憶されていない場合には、当該取り込んだマスタファイル２ａをＲＡＭ２０３に記憶させ、取り込んだマスタファイル２ａと同一のマスタファイルがＲＡＭ２０３に既に記憶されている場合には、取り込んだマスタファイル２ａを破棄する。さらに、取込部８０１は、ＲＡＭ２０３に記憶されてから所定時間（例えば、５分）経過したマスタファイル２ａをＲＡＭ２０３から消去するものとする。
【００３７】
これにより、ハンディースキャナ１が商品のマスタファイル２ａを記憶するストレージとして大きい記憶容量を有するストレージ（例えば、ＨＤＤなど）を搭載する必要がなくなるので、ハンディースキャナ１の小型化および軽量化を図ることができる。また、ハンディースキャナ１が大きい容量のストレージを搭載しなくて済むので、ハンディースキャナ１を用いた作業するユーザに過度の注意を課することを防止できる。また、ユーザが定期的にハンディースキャナ１に記憶された関連情報を更新する必要がなくなり、ユーザの負担を軽減することができる。さらに、マスタファイル２ａに記録された関連情報を印刷する際に、ホストコンピュータ２に問い合せる必要がないので、ホストコンピュータ２に問い合せる時間分、関連情報の印刷に要する時間を短縮することができる。
【００３８】
スキャナ１０１は、値引き額などの関連情報の発行作業を行うユーザが関連情報の発行作業を行う場所に移動し、トリガスイッチ１を押下またはキー入力部１０３を操作すると、ＲＦＩＤタグ５に印刷されたバーコード５ａから商品コードを読み取る。読出部８０２は、スキャナ１０１により商品コードが読み取られると、ＲＡＭ２０３に記憶されたマスタファイル２ａに記録された関連情報の中から、読み取られた商品コードが示す商品の関連情報を読み出す。
【００３９】
従来のスキャナ付プリンタにおいては、ホスト機器に対して関連情報の問い合わせを行う場合、無線または有線にて問い合わせを行っていたため、スキャナ付プリンタとホスト機器との間の外乱ノイズなどの通信障害が生じると、関連情報の再送やローミングによる再接続が必要となり、関連情報の取り込み時間がかかっていた。しかし、本実施の形態によれば、ホストコンピュータ１に問い合わせを行わずに、スキャナ１０１により読み取られた商品コードが示す商品の関連情報を読み出すことができるので、関連情報の読み出しに要する時間を短縮することができる。
【００４０】
なお、読出部８０２は、ＲＡＭ２０３に記憶されたマスタファイル２ａに記録された関連情報の中から、スキャナ１０１により読み取られた商品コードが示す商品の関連情報を読み出せた場合には、ホストコンピュータ２への問い合わせを行わない。一方、読出部８０２は、ＲＡＭ５０２に記憶されたマスタファイル２０に記録された関連情報の中から、スキャナ１０１により読み取られた商品コードが示す商品の関連情報を読み出せなかった場合、スキャナ１０１により読み取られた商品コードをホストコンピュータ２に送信して、当該スキャナ１０１により読み取られた商品コードが示す商品のマスタファイル２０を取り込むものとする。
【００４１】
印刷部８０３は、読出部８０２により読み出された関連情報を印刷データに変換する。そして、印刷部８０３は、ヘッド制御回路２０８を介してサーマルヘッド１０６を制御して、関連情報の印刷データを台紙付きラベルに印刷する。ハンディースキャナ１のユーザは、関連情報が印刷された台紙付きラベル６（図６参照）を商品に貼り付ける。
【００４２】
図９は、マスタファイルの取込処理の流れを示すフローチャートである。取込部８０１は、リーダライタ２１２によってＲＦＩＤタグ５００から商品コードが読み取られた否かを判断する（ステップＳ９０１）。そして、ＲＦＩＤタグ５００から商品コードが読み取られた場合（ステップＳ９０１：Ｙｅｓ）、取込部８０１は、ホストコンピュータ２から、読み取られた商品コードが示す商品の関連情報のマスタファイル２ａを取り込む（ステップＳ９０２）。
【００４３】
次いで、取込部８０１は、取り込んだマスタファイル２ａと同一のマスタファイルがＲＡＭ２０３に記憶されているか否かを判断する（ステップＳ９０３）。そして、取り込んだマスタファイル２ａと同一のマスタファイルがＲＡＭ２０３に記憶されていない場合（ステップＳ９０３：Ｎｏ）、取込部８０１は、取り込んだマスタファイル２ａをＲＡＭ２０３に記憶させる（ステップＳ９０４）。一方、取り込んだマスタファイル２ａと同一のマスタファイルがＲＡＭ２０３に記憶されていた場合（ステップＳ９０３：Ｙｅｓ）、取込部８０１は、取り込んだマスタファイル２ａを破棄する（ステップＳ９０５）。
【００４４】
図１０は、関連情報の読出処理の流れを示すフローチャートである。読出部８０２は、スキャナ１０１により商品コードが読み取られたか否かを判断する（ステップＳ１００１）。そして、スキャナ１０１により商品コードが読み取られた場合（ステップＳ１００１：Ｙｅｓ）、読出部８０２は、ＲＡＭ２０３に記憶されたマスタファイル２ａに記録された関連情報の中から、読み取られた商品コードが示す商品の関連情報を読み出す（ステップＳ１００２）。
【００４５】
ＲＡＭ２０３に記憶されたマスタファイル２ａに記録された関連情報の中から、読み取られた商品コードが示す商品の関連情報を読み出せた場合（ステップＳ１００３：Ｙｅｓ）、読出部８０２は、読み出した関連情報を印刷部８０３に渡して読出処理を終了する。一方、ＲＡＭ２０３に記憶されたマスタファイル２０に記録された関連情報の中から、読み取られた商品コードが示す商品の関連情報を読み出せなかった場合（ステップＳ１００３：Ｎｏ）、読出部８０２は、スキャナ１０１により読み取られた商品コードをホストコンピュータ２に送信して、当該スキャナ１０１により読み取られた商品コードが示す商品のマスタファイル２０を取り込むものとする（ステップＳ１００４）。
【００４６】
このように本実施の形態にかかる印刷システム４によれば、商品に関する関連情報を商品毎に記憶するホストコンピュータ２と、周囲に存在する不特定のＲＦＩＤタグ５から商品コードを読み取るリーダライタ２１２と、ホストコンピュータ２から、リーダライタ２１２により読み取った商品コードが示す商品の関連情報を取り込む取込部８０１と、取り込んだ関連情報を記憶するＲＡＭ２０３と、周囲に存在する特定のＲＦＩＤタグ５に印刷されたバーコード５ａから商品コードを読み取るスキャナ１０１と、ＲＡＭ２０３に記憶された関連情報の中から、スキャナ１０１により読み取った商品コードが示す商品の関連情報を読み出す読出部８０２と、読出部８０２により読み出された関連情報を印刷する印刷部８０３と、を備えたハンディースキャナ１と、を備えることにより、ハンディースキャナ１の周囲にある商品の関連情報のみをハンディースキャナ１に記憶させておくことができ、かつホストコンピュータ１に問い合わせを行わずに、スキャナ１０１により読み取られた商品コードが示す商品の関連情報を読み出すことができるので、関連情報を記憶するストレージの記憶容量を小さくしても関連情報を高速に印刷できる。
【符号の説明】
【００４７】
１  ハンディースキャナ
２  ホストコンピュータ
４  印刷システム
５  ＲＦＩＤタグ
２０３  ＲＡＭ
２１２  リーダライタ
８０１  取込部
８０２  読出部
８０３  印刷部
【先行技術文献】
【特許文献】
【００４８】
【特許文献１】特開平０８−１４３０１８号公報
【図１】
2011173291.tif 000003
【図２】
2011173291.tif 000004
【図３】
2011173291.tif 000005
【図４】
2011173291.tif 000006
【図５】
2011173291.tif 000007
【図６】
2011173291.tif 000008
【図７】
2011173291.tif 000009
【図８】
2011173291.tif 000010
【図９】
2011173291.tif 000011
【図１０】
2011173291.tif 000012